(57)【特許請求の範囲】
【請求項１】
釣針保管用ケースにおいて、
釣針を収納保管するための所定の深さの傾斜側壁を備える収納空間部が設けられた開閉可能な蓋を有するケース本体；及び
前記収納空間部の両傾斜側壁から所定の高さに突設され、釣針が掛けられるようにした一対の係止突起を含むことを特徴とする釣針保管用ケース構造。
【請求項２】
前記収納空間部の底部には前記ケース本体の全長方向に亘って下方に深く凹んだ収納溝がさらに設けられる請求項１記載の釣針保管用ケース構造。
【請求項３】
前記収納空間部には３つのかかり（ｂａｒｂ）を有する釣針が収容される請求項１記載の釣針保管用ケース構造。
【請求項４】
前記ケース本体のいずれか一側には環部がさらに設けられる請求項１記載の釣針保管用ケース構造。
【請求項５】
前記環部には伸縮性を有する固定紐がさらに設置され、その固定紐の一端には環状の固定リングが一体に設けられる請求項４記載の釣針保管用ケース構造。
【請求項６】
前記ケース本体の一側には蓋を施錠するための施錠手段がさらに備えられる請求項１記載の釣針保管用ケース構造。
【請求項７】
伸縮性を有する固定紐が設置された請求項５記載の釣針保管用ケースの内部に、釣糸が結び付けられたままで釣針を収納、保管した後、前記釣糸を釣竿ケースに備えられた釣糸巻き部に完全に巻いた後、前記固定紐を釣糸巻き部の一側に掛けて固定することを特徴とする釣針保管用ケースの固定方法。
【請求項８】
伸縮性を有する固定紐が設置された請求項５記載の釣針保管用ケースの内部に釣針を収納、保管した後、前記固定紐を釣竿の外周面に巻いた後、固定紐をさらに釣針保管用ケースに掛けて固定することを特徴とする釣針保管用ケースの固定方法。
【発明の詳細な説明】
【０００１】
【発明の属する技術分野】
本発明は、釣針保管用ケース構造に係り、特に、釣針収納空間と環部の構造を改良して釣針を安全且つ堅固に保管することを可能とした釣針保管用ケース構造に関する。
【０００２】
【従来の技術】
一般に、釣りは餌に誘因された魚を釣針を用いて捕えることであり、海で行う海釣と淡水で行う淡水釣に大別され、使用する釣竿より一層遠く釣針を投げうるように釣糸を巻くリールを備えたリール釣りと、リールを備えることなく釣竿に直接原糸を結び付けて釣りをする竿釣りに区分される。
【０００３】
典型的な竿釣りでは、カーボンまたはガラスロッド素材で製造された釣竿の先端に位置した竿先には釣原糸が結び付けられ、その原糸の端には重り（錘）が付けられる。前記重りの反対側には釣針がハリスを介して連結される。重りの上部と竿先との間で釣原糸を通過させる浮きゴムは釣浮きの道糸部分を釣原糸に固定させるために設置される。
【０００４】
釣針を付けた状態で前記釣浮きの浮力と重りの重さを同一に合わせた状態をゼロ浮き調整というが、このような浮き調整状態で釣針が水中に投与され、魚が餌を付けた釣針を吸入すると、無重力状態を維持している浮きと重り間の均衡が崩れ、浮きのヘッドが水面の上部に上がってくる。これが魚の当たりによる通常の浮き動き動作であるが、そのあっさりした浮き動き動作を特に夜間にケミホタルの光の下で見ていると幻像的であり、これを通常浮きの良さという。浮き動きの頂点で釣り人が釣竿を上方に上げるか或いは手前に引き寄せると、釣針が魚の口に刺され、魚は水の外に引き出される。
【０００５】
このような釣り作業が終わると、前記釣竿は順次折り畳んで布または合成ビニールで製造された釣竿ケースに収納し、竿先の上部に連結された釣原糸は釣竿ケースに一定の間隔を置いて設置された糸掛けボタンの間を往復しながら巻いておく。
【０００６】
釣糸をまき終えると、ハリスに連結された釣針が残るが、これに対する処理問題が釣り人の間では何時も問題になる。即ち、釣針を釣竿ケースに深く差し込んでおくと、抜き取る時に非常に難しくなる。特に、かかり（ｂａｒｂ）を有する釣針の場合、かかり部分を越えて針の先端が掛かると、入ることは容易であるが、抜け出ることは非常に難しくなる。逆に、これを恐れて釣針をそっと差し込んでおくと、釣行きのための移動中に釣針が離脱して釣り人の皮膚を刺して怪我をさせたり、他のものに刺されて結局釣針を切り取らなければならないという問題点がある。
【０００７】
また、ルアー（ｌｕｒｅ）釣りの場合は、ルアー釣竿は釣針に３つのバーブを備えているので、保管時に更に注意を払う必要がある。
【０００８】
かかる問題を解決するために、従来は図１に示すような釣針保管用ケースを使用した。これについて、図１を参照して説明すると、次の通りである。
【０００９】
図１は従来の釣針保管用ケース構造を示す斜視図である。
同図に示すように、釣針３０を収納保管することが可能な収納部１２を有するケース本体１０の一側には釣糸３２の挿入溝１４を形成すると同時に、ケース本体１０の開閉時に分離及び突合せされる面に係止突起２２と係止溝２４を形成して着脱開閉作動するように結着部２０が構成されている。
【００１０】
しかし、前記釣針保管ケースの構造は、釣針３０を外部から隔離するように収納部１２に収納するだけの構成になっているため、前記収納部１２に収納された釣針３０を最適に保管し得ないという問題点をもっている。即ち、収納部１２に収納された釣針３０が前記収納部１２内で流動するなどの問題点がある。また、釣針が流動して内壁とぶつかることにより、釣針の先端が鈍くなるという問題点も誘発している。のみならず、ルアー（ｌｕｒｅ）釣り用釣針の場合には３つのバーブを備えているので、前記ケースで保管することが不可能なため、新しい形態のケース提供が必要な状況である。
【００１１】
【発明が解決しようとする課題】
本発明の目的は、従来の諸般問題点を解消し、釣針を流動性なく安定的に収容・保管することが可能な釣針保管用ケース構造を提供することにある。
【００１２】
本発明の他の目的は、前記釣針保管用ケースを釣竿ケースに堅く取り付けて釣糸の縺れなしで保管することが可能な釣針保管用ケース構造を提供することにある。
【００１３】
【課題を解決するための手段】
上記目的を達成するための本発明の第１実施例に係る釣針保管用ケース構造は、釣針を収納保管するための所定の深さの傾斜側壁を備える収納空間部が設けられた開閉可能な蓋を有するケース本体、及び前記収納空間部の両傾斜側壁から所定の高さに突設され、釣針が掛けられるようにした一対の係止突起を含むことを特徴とする。
【００１４】
また、上記目的を達成するための本発明の第１実施例に係る釣針保管用ケース構造は、釣針を収納保管するための所定の深さの傾斜側壁を備える収納空間部が設けられた開閉可能な蓋を有するケース本体、及び前記収納空間部の両傾斜側壁から所定の高さに突設され、釣針が掛けられるようにした一対の係止突起を含むことを特徴とする。
【００１５】
前記収納空間部の底部には前記ケース本体の全長方向に亘って下方に深く凹んだ収納溝が設けられることを特徴とする。
【００１６】
前記収納空間部には３つのかかりを有する釣針が収容されることを特徴とする。
【００１７】
前記ケース本体のいずれか一側には環部をさらに形成することを特徴とする。
【００１８】
前記環部には伸縮性を有する固定紐がさらに設置され、その固定紐の一端には環状の固定リングが一体に設けられることを特徴とする。
【００１９】
前記ケース本体の一側には蓋を施錠するための施錠手段を備えることを特徴とする。
【００２０】
このような第１実施例に係る釣針保管用ケースを用いた固定方法は、伸縮性を有する固定紐が設置された釣針保管用ケースの内部に釣糸が結び付けられたままで釣針を収納、保管した後、前記釣糸を釣竿ケースに備えられた釣糸巻き部に完全に巻いた後、前記固定紐を釣糸巻き部の一側に掛けて固定することを特徴とする。
【００２１】
【発明の実施の形態】
以下、添付図に基づいて本発明に係る釣針保管用ケース構造の好適な実施例を詳細に説明する。
図２は本発明の第１実施例に係る釣針保管用ケース構造を示す斜視図であり、図３は本発明の第１実施例に係る釣針保管用ケースの蓋を開いた状態を示す斜視図であり、図４は本発明の第１実施例に係る釣針保管用ケースの固定方法を示す斜視図である。
【００２２】
同図に示すように、本発明の第１実施例に係る釣針保管用ケース構造はケース本体１０１を備えている。このケース本体１０１は、釣針３０１を収容することが可能な大きさを有するが、３つのかかりが一体に備えられた釣針３０１を収容しうるように構成する。
【００２３】
前記ケース本体１０１の内部には、釣針３０１を収納保管するための所定の深さの傾斜側壁１０５ａ、１０５ｂを両側に有する収納空間部１１１が設けられており、その収納空間部１１１を開閉可能にする蓋１２１を有し、また、３つのかかりが一体に備えられた釣針３０１を収容し得るようにすることが重要である。従って、前記収納空間部１１１の底部には前記ケース本体１０１の全長方向に亘って下方に深く凹んだ収容溝１０７をさらに設けることが良い。
【００２４】
本発明の第１実施例において、ケース本体１０１のいずれか一側に開口１０３を設け、前記蓋１２１とケース本体１０１を開閉可能にヒンジ１４３で結合し、そのヒンジ１４３の反対側に前記蓋１２１をケース本体１０１に施錠できるようにするための施錠手段１３１を備えている。
【００２５】
前記施錠手段１３１はケース本体１０１と蓋１２１に互いに対応するように一対の開閉片１３３Ａ、１３３Ｂをそれぞれ形成し、その開閉片１３３Ａ、１３３Ｂの対応する面にそれぞれ施錠突部１３５と施錠溝部１３７を形成し、前記施錠突部１３５と施錠溝部１３７との結合によって施錠されるようにする。このような一対の開閉片１３３Ａ、１３３Ｂによってケース本体１０１と蓋１２１の開放を便利にする。
【００２６】
また、前記開閉片１３３Ａ、１３３Ｂの両側には係止溝１３９を形成して、後述の固定紐１６１が掛けられるようにする。即ち、図４に示すように、固定紐１６１で釣竿を一巻き巻いた後、前記係止溝１３９に掛けられるようにすることにより、前記ケース本体１０１を釣竿に取り付けられるようにし、流動を防止することができる。
【００２７】
前記ケース本体１０１のいずれか一側には環部１５１が設けられている。この環部１５１には伸縮性を有する固定紐１６１がさらに設置されており、前記固定紐１６１の一端には環状の固定リング１６３が一体に設けられている。前記伸縮性を有する固定紐１６１はゴムなどの材質からなるゴム紐をその一例として挙げることができる。
【００２８】
前記固定紐１６１によってケース本体１０１を図４に示すように釣竿に固定し、或いは、釣竿ケースに固定して使用する。
【００２９】
また、第１実施例でも前記ケース本体１０１に夜光または蛍光物質を塗布し、或いはこれらを混合して塗布することが良い。
【００３０】
図示したように、本発明の第１実施例に係る釣竿保管用ケースは一対の係止突起２０１を備えている。この一対の係止突起２０１は前記収納空間部１１１に収容された釣針３０１のかかり（ｂａｒｂ）が掛けられるようにするもので、前記ケース本体１０１の両傾斜側壁１０５ａ、１０５ｂに所定の高さに突設され、３つのかかりを有する釣針３０１が掛けられるようにする。
【００３１】
このような構成を有する第１実施例の釣針保管用ケース構造によれば、釣針を保管するためにはまず蓋１２１を開いて収納空間部１１１を開放させる。このような状態で前記収納空間部１１１に、３つのかかりを有する釣針３０１を収納保管する。この際、前記収納空間部１１１に備えられた収容溝１０７に、３つのかかりを有する釣針のうち一つのかかりを挿入し、他の２つのかかりは収納空間部１１１の一対の係止突起２０１に掛けて収納する。このように釣針３０１を収納した後、前記蓋１２１をケース本体１０１に施錠することにより、前記釣針３０１をケース本体１０１の収納空間部１１１に収納保管する。
【００３２】
このように釣針３０１を収納保管した後には、前記ケース本体１０１のいずれか一側に設置された伸縮性を有する固定紐１６１を図４に示すように釣竿の外周面に巻いた後、その固定紐１６１の端部に設けられた固定リング１６３を、ケース本体１０１の一対の開閉片に設けられている係止溝１３９に掛けて固定する。この際、前記固定紐１６１は、伸縮性を有しているため、伸びた状態で前記釣竿の外周面を巻くことにより、ケース本体１０１の流動を防止し且つ釣竿に堅く取り付けられる。
【００３３】
また、このような第１実施例は、前記固定紐１６１を釣竿ケースの釣糸巻き部に固定することができ、釣竿ケースの釣糸巻き部が釣竿ケースの内側に構成されたもの、或いは前記釣糸巻き部が釣竿ケースの外側に備えられたものに全て適用可能である。
【００３４】
【発明の効果】
以上に述べた本発明の実施例によれば、釣針を流動なく安定的に堅く収容保管するとともに、釣針の寿命を延長させるという効果がある。
【００３５】
また、前記釣針保管用ケースを釣竿ケースに堅く取り付けて固定することができるため、釣糸の縺れを防止することができるという効果もある。
【図面の簡単な説明】
【図１】従来の釣針保管用ケース構造を示す斜視図である。
【図２】本発明の第１実施例に係る釣針保管用ケース構造を示す斜視図である。
【図３】本発明の第１実施例に係る釣針保管用ケースの蓋を開いた状態を示す斜視図である。
【図４】本発明の第１実施例に係る釣針保管用ケースの固定方法の一例を示す斜視図である。
【図１】
0003853726.tif 000002
【図２】
0003853726.tif 000003
【図３】
0003853726.tif 000004
【図４】
0003853726.tif 000005